(57)【要約】【課題】本願発明は、部材の筒状部の強度と結合の際の不都合を解消する提案である。【解決手段】下記いずれかの部材の筒状部であって、当該筒状部の側面には、上下方向に沿って複数のリブが設けられ、前記筒状部の閉じた端面のリブ部にオス−メスの契合部を設けたことを特徴とする部材。１  容器状部材であって底面から上方に立ち上がる筒状部を有し、側面および筒状部にテーパを有する部材。２  平板と脚部からなる部材で筒状部は平板部に開口しかつテーパを有する。３  波板状部材であって、その上下端面からそれぞれ垂下、立ち上がるテーパを有する筒状部を有する部材。【選択図】図1
2006200356.tif 000002
【特許請求の範囲】
【請求項１】
下記いずれかの部材の筒状部であって、当該筒状部の側面には、上下方向に沿って複数の張り出し状のリブが設けられたことを特徴とする部材。
１  テーパを有する側面部と底面部および上部の開放面からなり、筒状部は、底面部の開口部から開放面に向かって立ち上がる、開口部から閉じた端面に向かって狭くなるテーパが設けられた、筒状部を有する容器状部材。
２  平板部に設けた1乃至複数の開口部から、それぞれ上方もしくは下方に向かって立ち上がる、開口部から閉じた端面に向かって狭くなるテーパが設けられた、筒状部を有するテーブル状部材。
３  底面が広がった台形状断面をつなげて波板状とし、その波板状部材の上端部および下端部の開口部から、それぞれ上方もしくは下方に向かって立ち上がり、開口部から閉じた端面に向かって狭くなるテーパが設けられた筒状部を有する波板状部材。  
【発明の詳細な説明】
【技術分野】
【０００１】
本発明は、雨水貯留浸透槽あるいは軽量盛土資材となる部材技術に属する。
【背景技術】
【０００２】
雨水の流出抑制、有効利用を図る雨水の貯留あるいは浸透槽用の部材あるいは軽量盛土用の芯となる部材としてプラスチック製あるいはステンレススチール製の部材が特開昭62-101097、特開平10-252108、特開平09-296486、特開平10-115778、特開平10-290174などに各種提案使用されている。
特開昭62-101097、特開平09-296486などには筒状部を有する部材が提案されている。これら部材の筒状部には、その圧縮強度向上のため中にコンクリートなどの芯を充填して使用されることがある。筒部同士を結合する際、一般的にオス−メスの契合部を設けることが行われるが、芯材が中に存在するとオス部が芯材とぶつかり不都合を生ずることがある。
【特許文献１】特開昭62-101097
【特許文献２】特開平10-252108
【特許文献３】特開平09-296486
【特許文献４】特開平10-115778
【特許文献５】特開平09-296486
【発明の開示】
【発明が解決しようとする課題】
【０００３】
本願発明は、筒状部を有する部材における芯材と契合具の不都合を解消するとともに芯材なしで強度を高める手段の提案にある。
【課題を解決するための手段】
【０００４】
本発明は、下記いずれかの部材の筒状部であって、当該筒状部の側面には、上下方向に沿って複数の張り出し状のリブが設けられた部材である。
１  テーパを有する側面部と底面部および上部の開放面からなり、筒状部は、底面部の開口部から開放面に向かって立ち上がる、開口部から閉じた端面に向かって狭くなるテーパが設けられた、筒状部を有する容器状部材。
２  平板部に設けた1乃至複数の開口部から、それぞれ上方もしくは下方に向かって立ち上がる、開口部から閉じた端面に向かって狭くなるテーパが設けられた、筒状部を有するテーブル状部材。
３  底面が広がった台形状断面をつなげて波板状とし、その波板状部材の上端部および下端部の開口部から、それぞれ上方もしくは下方に向かって立ち上がり、開口部から閉じた端面に向かって狭くなるテーパが設けられた筒状部を有する波板状部材。
筒状部の強度の向上と、筒状部に設けたオスメスの継ぎ手の契合を解消するため筒状部にリブを設けリブ部に継ぎ手部を設けた。  
【発明の効果】
【０００５】
部材の筒状部に張り出し状のリブを設け、端面同士で契合させるための契合具であるオスメスの継ぎ手を筒部より張り出したリブ端部に設けたため以下の効果がある。
１． リブを設けたため筒状部の強度が向上する。
２． 契合時に継ぎ手オス部が筒状部内部の芯材とぶつからない。
３． 平板と一つの筒状部からなる部材にあっては入れ子状に積み重ねた時に互いに回転しない。
【発明を実施するための最良の形態】
【０００６】
以下本発明である部材につき、図を用いて、より詳細に説明する。
図１は、筒状部の形状を示す概念図である。
図に示すとおり、筒状部は中空でその外表面に4つの弧状のリブが設けられている。従い、筒状部の閉じた端面に4つの弧状のリブが張り出す。その張り出し部に必要に応じて契合部である突出したオス継ぎ手およびオス部が挿入される孔部であるメス継ぎ手を設けることができる。
図１ａでは、筒状部の閉じた端面の４つの弧状張り出し部に、筒状部の端面同士を突き合わせて契合させるため、契合用の孔がそれぞれ設けられている。
図１ｂでは、その張り出し部に契合部である突出したオス継ぎ手およびオス部が挿入される孔部であるメス継ぎ手が設けられている。図１ｃは、図１ａ用の契合具であり円盤の表裏に、契合用の孔に挿入される突部が設けられている。
【０００７】
図２は筒状部に芯材を挿入した状態で筒状部同士の結合状態を示す断面透視概念図である。図に示すように、心材の挿入にもかかわらずオスおよびメス継ぎ手が正常に結合されることを示している。
【０００８】
図３〜図６まで、筒状部を有する部材の例を示した図である。
図３は、平板部に筒状部を有する部材の例を示した図である。図３ａは、筒部に張り出し状のリブを有する部材の例である。本形状における張り出し部の利点は、強度向上、契合具の不具合防止の他に、以下の利点がある。本部材を入れ子状に積み重ねた場合に通常の戴円錐筒であれば互いに回転し、保管運搬の際に回転し、整理が困難となる場合が生じる。そのため、図７に示すように平板部に凸部と凹部を設け、凸部と凹部とを嵌め合わせることで回転を防止している。この回転防止用の凸部凹部の必要性がなくなる。図３ｂ、図３ｃは筒部を二重とし、その両方あるいは内側の筒部に本張り出し状のリブを設けた例を示している。
【０００９】
図４は、容器状部材の底面に筒状部を設けた例である。
図５は、平板部に開口し平板部に対して直角に突出する1、4、5個の筒状部をそれぞれ設けた例である。
【００１０】
図６は、波板状部材の頂部から上下に突出する筒状部を設けた例を示している。
図では、いずれも筒状部の形状は円形として示してあるが、入れ子状に組み重ねることができればいいので戴角錐であっても他の形状であってもよい。筒状部に設けるリブの形状も同様であり円弧状である必要はない。
【００１１】
筒状部を有する部材は、図８に示すように、地下にそれぞれ上下左右に配列もしくは連結され、雨水を貯留する空間を形成する。その設置される土壌、地下水の水位、一時的に貯留した雨水の有効利用をどのように図るかなど、それぞれの目的に応じて前記空間を透水性のシートあるいは遮水性のシートで覆い、埋め戻し、浸透槽あるいは貯留槽もしくは貯留浸透兼用槽として使用できる。必要に応じ泥だめ枡、オリフィス等の付帯設備を設け使用される。
またこれら部材は、軽量盛土の芯材として使用可能である。
【図面の簡単な説明】
【００１２】
【図１】は、本発明の部材の筒状部を示す概念図である。
【図２】は、筒状部の結合状態を示す概念図である。
【図３】は、平板部に一つの筒状部を有するテーブル状部材の例を示す。
【図４】は、容器状部材の底面から開放面に立ち上がる筒状部を有する部材の例を示す。
【図５】は、平板部に複数の筒状部を有するテーブル状部材の例を示す。
【図６】は、波板に筒状部を有する波板状部材の例を示す。
【図７】は、従来の筒状部が一つのテーブル状部材の例を示す。
【図８】は、本部材を用いる雨水貯留浸透施設および軽量盛土の一例を示す。
【符号の説明】
【００１３】
１  筒状部
２  リブ
３  契合部
４  芯材
５  部材
６  シート
７  雨水貯留浸透施設
８  軽量盛土
【図１】
2006200356.tif 000003
【図２】
2006200356.tif 000004
【図３】
2006200356.tif 000005
【図４】
2006200356.tif 000006
【図５】
2006200356.tif 000007
【図６】
2006200356.tif 000008
【図７】
2006200356.tif 000009
【図８】
2006200356.tif 000010